(57)【要約】【課題】プリント配線板を筐体等の他の部材に接着固定させるための粘着シートにおいて、良好な耐湿性及び耐熱性を有する離型材層を備えることで、粘着シートに寸法変化が生じることを効果的に防止することができる粘着シート、該粘着シートを備えるプリント配線板及び該プリント配線板の製造方法の提供を課題とする。【解決手段】プリント配線板２０を筐体等の他の部材に接着固定させるための粘着シート１０であって、粘着シート１０は、離型材層１１と、離型材層１１に積層される粘着剤層１２とからなり、離型材層１１は、耐熱性の紙からなる耐熱性離型紙１１ｂと、耐湿性のフィルムからなる耐湿性離型フィルム１１ａとを備えると共に、耐湿性離型フィルム１１ａを、耐熱性離型紙１１ｂの剥離強度よりも小さい剥離強度で耐熱性離型紙１１ｂの上方に積層してある。【選択図】      図２
2012246376.tif 000002
【特許請求の範囲】
【請求項１】
プリント配線板を筐体等の他の部材に接着固定させるための粘着シートであって、該粘着シートは、離型材層と、該離型材層に積層される粘着剤層とからなり、前記離型材層は、耐熱性の紙からなる耐熱性離型紙と、耐湿性のフィルムからなる耐湿性離型フィルムとを備えると共に、該耐湿性離型フィルムを、前記耐熱性離型紙の剥離強度よりも小さい剥離強度で前記耐熱性離型紙の上方に積層してあることを特徴とする粘着シート。
【請求項２】
前記耐熱性離型紙は、グラシン紙からなることを特徴とする請求項１に記載の粘着シート。
【請求項３】
前記耐湿性離型フィルムは、ポリエチレンからなることを特徴とする請求項１又は２に記載の粘着シート。
【請求項４】
請求項１〜３の何れか１項に記載の粘着シートを備えることを特徴とするプリント配線板。
【請求項５】
請求項４に記載のプリント配線板の製造方法であって、粘着シートを形成する工程と、プリント配線板を形成する工程と、前記プリント配線板に前記粘着シートを貼り付ける工程とを少なくとも備えると共に、粘着シートを形成する工程は、耐熱性の紙からなる耐熱性離型紙の一面側に粘着剤層を積層する工程と、前記耐熱性離型紙の剥離強度よりも小さい剥離強度で、前記耐熱性離型紙の他面側に耐湿性のフィルムからなる耐湿性離型フィルムを積層する工程とを備えることを特徴とするプリント配線板の製造方法。
【発明の詳細な説明】
【技術分野】
【０００１】
本発明は、プリント配線板を筐体等の他の部材に接着固定させるための粘着シートにおいて、良好な耐湿性及び耐熱性を有する離型材層を備える粘着シート、該粘着シートを備えるプリント配線板及び該プリント配線板の製造方法に関する。
【背景技術】
【０００２】
携帯電話機等の電子機器の内部に配設されるプリント配線板においては、半田を介して電子部品を実装すると共に、粘着シートを介して電子機器の筐体等に接着固定されることで使用されるものがある。
このようなプリント配線板に用いられる粘着シートは、離型処理が施された耐熱性の紙からなる離型材層に粘着剤層を積層（塗布）させて形成されるものが一般的である。またプリント配線板の所定領域に貼り付けられた状態で半田リフロー工程を行い、その後に離型材層を剥離することで、電子機器の筐体等に粘着剤層を介してプリント配線板を貼り付けるものが一般的である。
このような粘着シートを備えるフレキシブルプリント配線板を示す従来技術として、例えば下記特許文献１がある。
【先行技術文献】
【特許文献】
【０００３】
【特許文献１】特開平８−９７５２０号公報
【発明の概要】
【発明が解決しようとする課題】
【０００４】
上記特許文献１は、粘着剤付きフレキシブルプリント配線板とその製法に関する発明で、製品を重ねても製品同士が粘着するというトラブルが発生することを防止できるメリットがある。
しかしこのような従来の粘着シートは、単層の紙だけで離型材層を形成する構成であったことから、特に湿潤な環境下において、紙が吸湿することで粘着シートに寸法変化が生じるという問題があった。
また吸湿による寸法変化が粘着シートに生じた場合、特に半田を介して電子部品を実装するプリント配線板においては、半田リフロー前後で粘着シートが大きく収縮することで、プリント配線板から粘着シートが剥がれるという問題があった。或いは半田リフロー前後で粘着シートが大きく収縮することで、電子部品実装後にプリント配線板を他の部材に良好に接着固定することができないという問題があった。
【０００５】
そこで本発明は上記従来における問題点を解決し、プリント配線板を筐体等の他の部材に接着固定させるための粘着シートにおいて、良好な耐湿性及び耐熱性を有する離型材層を備えることで、粘着シートに寸法変化が生じることを効果的に防止することができる粘着シート、該粘着シートを備えるプリント配線板及び該プリント配線板の製造方法の提供を課題とする。
【課題を解決するための手段】
【０００６】
本発明の粘着シートは、プリント配線板を筐体等の他の部材に接着固定させるための粘着シートであって、該粘着シートは、離型材層と、該離型材層に積層される粘着剤層とからなり、前記離型材層は、耐熱性の紙からなる耐熱性離型紙と、耐湿性のフィルムからなる耐湿性離型フィルムとを備えると共に、該耐湿性離型フィルムを、前記耐熱性離型紙の剥離強度よりも小さい剥離強度で前記耐熱性離型紙の上方に積層してあることを第１の特徴としている。
【０００７】
上記本発明の第１の特徴によれば、粘着シートは、プリント配線板を筐体等の他の部材に接着固定させるための粘着シートであって、該粘着シートは、離型材層と、該離型材層に積層される粘着剤層とからなり、前記離型材層は、耐熱性の紙からなる耐熱性離型紙と、耐湿性のフィルムからなる耐湿性離型フィルムとを備えると共に、該耐湿性離型フィルムを、前記耐熱性離型紙の剥離強度よりも小さい剥離強度で前記耐熱性離型紙の上方に積層してあることから、耐湿性離型フィルムによって良好な耐湿性を実現することができる。また耐湿性離型フィルムだけを剥離させることで、耐熱性離型紙によって良好な耐熱性を実現することができる。
従って水分や熱によって粘着シートに寸法変化が生じることを効果的に防止することができる。
【０００８】
また本発明の粘着シートは、上記本発明の第１の特徴に加えて、前記耐熱性離型紙は、グラシン紙からなることを第２の特徴としている。
【０００９】
上記本発明の第２の特徴によれば、上記本発明の第１の特徴による作用効果に加えて、前記耐熱性離型紙は、グラシン紙からなることから、半田リフロー工程（一般的には、加熱工程におけるピーク温度が２６０℃、加熱時間が１０秒程度）等の加熱工程にも耐えうる良好な耐熱性を備えた耐熱性離型紙とすることができる。
【００１０】
また本発明の粘着シートは、上記本発明の第１又は第２の特徴に加えて、前記耐湿性離型フィルムは、ポリエチレンからなることを第３の特徴としている。
【００１１】
上記本発明の第３の特徴によれば、上記本発明の第１又は第２の特徴による作用効果に加えて、前記耐湿性離型フィルムは、ポリエチレンからなることから、一段と良好な耐湿性を有すると共に、低コストの耐湿性離型フィルムとすることができる。
【００１２】
また本発明のプリント配線板は、上記本発明の第１〜第３の何れか１つに記載の粘着シートを備えることを第４の特徴としている。
【００１３】
上記本発明の第４の特徴によれば、プリント配線板は、上記本発明の第１〜第３の何れか１つに記載の粘着シートを備えることから、水分や熱によって粘着シートに寸法変化が生じることを効果的に防止することができることで、筐体等の他の部材に良好に接着固定させることができるプリント配線板とすることができる。
【００１４】
また本発明のフレキシブルプリント配線板の製造方法は、請求項４に記載のプリント配線板の製造方法であって、粘着シートを形成する工程と、プリント配線板を形成する工程と、前記プリント配線板に前記粘着シートを貼り付ける工程とを少なくとも備えると共に、粘着シートを形成する工程は、耐熱性の紙からなる耐熱性離型紙の一面側に粘着剤層を積層する工程と、前記耐熱性離型紙の剥離強度よりも小さい剥離強度で、前記耐熱性離型紙の他面側に耐湿性のフィルムからなる耐湿性離型フィルムを積層する工程とを備えることを第５の特徴としている。
【００１５】
上記本発明の第５の特徴によれば、フレキシブルプリント配線板の製造方法は、請求項４に記載のプリント配線板の製造方法であって、粘着シートを形成する工程と、プリント配線板を形成する工程と、前記プリント配線板に前記粘着シートを貼り付ける工程とを少なくとも備えると共に、粘着シートを形成する工程は、耐熱性の紙からなる耐熱性離型紙の一面側に粘着剤層を積層する工程と、前記耐熱性離型紙の剥離強度よりも小さい剥離強度で、前記耐熱性離型紙の他面側に耐湿性のフィルムからなる耐湿性離型フィルムを積層する工程とを備えることから、耐湿性離型フィルムによって良好な耐湿性を実現することができる粘着シートを備えるプリント配線板を製造することができる。また耐湿性離型フィルムだけを剥離させることで、耐熱性離型紙によって良好な耐熱性を実現することができる粘着シートを備えるプリント配線板を製造することができる。
従って水分や熱によって粘着シートに寸法変化が生じることを効果的に防止することができ、筐体等の他の部材に良好に接着固定させることができるプリント配線板を製造することができる。
【発明の効果】
【００１６】
本発明の粘着シートによれば、プリント配線板を筐体等の他の部材に接着固定させるための粘着シートにおいて、良好な耐湿性及び耐熱性を有する離型材層を備えることで、粘着シートに寸法変化が生じることを効果的に防止することができる。
また本発明の粘着シートを備えるプリント配線板によれば、筐体等の他の部材に良好に接着固定させることができるプリント配線板とすることができる。
また本発明の粘着シートを備えるプリント配線板の製造方法によれば、筐体等の他の部材に良好に接着固定させることができるプリント配線板を製造することができる。
【図面の簡単な説明】
【００１７】
【図１】本発明の実施形態に係る粘着シートを備えるプリント配線板の要部を示す平面図である。
【図２】本発明の実施形態に係る粘着シートを備えるプリント配線板の要部を示す断面図で、（ａ）は図１のＡ−Ａ線方向における断面図、（ｂ）は図１のＢ−Ｂ線方向における断面図である。
【図３】本発明の実施形態に係る粘着シートを示す断面図である。
【図４】本発明の実施形態に係る粘着シート及び該粘着シートを備えるプリント配線板の製造方法を簡略化して示す断面図である。
【図５】従来の粘着シートを備えるプリント配線板の要部を示す断面図で、（ａ）は図１のＡ−Ａ線方向と同一の方向の断面図、（ｂ）は図１のＢ−Ｂ線方向と同一の方向の断面図である。
【発明を実施するための形態】
【００１８】
以下の図面を参照して、本発明の実施形態に係る粘着シート、該粘着シートを備えるプリント配線板及び該プリント配線板の製造方法を説明し、本発明の理解に供する。しかし、以下の説明は本発明の実施形態であって、特許請求の範囲に記載の内容を限定するものではない。
【００１９】
まず図１〜図３を参照して、本発明の実施形態に係る粘着シート１０及び粘着シート１０を備えるプリント配線板２０を説明する。
【００２０】
本発明の実施形態に係る粘着シート１０は、図１、図２に示すように、プリント配線板２０に貼り付けられて、図示しない電子機器の筐体等の他の部材にプリント配線板２０を接着固定させるためのものである。
【００２１】
この粘着シート１０は、図２、図３に示すように、離型材層１１と、粘着剤層１２とから構成され、粘着剤層１２を介してプリント配線板２０の所定領域に貼り付けられている。
なお、ここで「所定領域」とは、プリント配線板２０において、筐体等の別部材に粘着シート１０を介して貼り付けられる領域のことを意味するものとする。
【００２２】
前記離型材層１１は、耐湿性及び耐熱性を備え、主として粘着剤層１２の粘着性能を維持させるための保護層となるものである。
この離型材層１１は、図２、図３に示すように、耐湿性離型フィルム１１ａと、耐熱性離型紙１１ｂとから構成される。
【００２３】
前記耐湿性離型フィルム１１ａは、耐湿性を有するフィルムで形成され、離型材層１１の耐湿層を形成するものである。より具体的には、吸湿によって耐熱性離型紙１１ｂに寸法変化が生じることを防止するためのものである。
なお本実施形態においては、耐湿性のフィルムとしてポリエチレンを用いる構成としてある。
またこの耐湿性離型フィルム１１ａには、耐熱性離型紙１１ｂから一定の剥離強度で剥離できるような離型処理を施してある。より具体的には、図３に示すように、耐湿性離型フィルム１１ａに剥離剤１１ａ−１をコーティングすると共に、耐熱性離型紙１１ｂの他面側（上面側）の全面に剥離剤１１ａ−１を介して耐湿性離型フィルム１１ａを積層させてある。
なお剥離剤１１ａ−１としては、シリコーン系剥離剤や非シリコーン系剥離剤等を用いることができる。
また本実施形態においては、耐熱性離型紙１１ｂに対する耐湿性離型フィルム１１ａの剥離強度を、粘着剤層１２に対する耐熱性離型紙１１ｂの剥離強度よりも小さいものとしてある。
なお耐熱性離型紙１１ｂに対する耐湿性離型フィルム１１ａの剥離強度は、０．０１Ｎ／１０ｍｍ〜０．３Ｎ／１０ｍｍ程度とすることが望ましい。
また耐湿性離型フィルム１１ａの厚みは２０μｍ程度とすることが望ましい。
また本実施形態においては、この耐湿性離型フィルム１１ａは、プリント配線板２０に半田４０を介して電子部品３０を実装する半田リフロー工程の直前に耐熱性離型紙１１ｂから剥離される。
なお図２においては、説明の便宜上、電子部品３０の実装時には剥離されている耐湿性離型フィルム１１ａを図示するものとする。
【００２４】
前記耐熱性離型紙１１ｂは、耐熱性を有する紙で形成され、離型材層１１の耐熱層を形成するものである。より具体的には、粘着剤層１２の粘着性能が熱によって低下することを防止するための保護層となるものである。
なお本実施形態においては、耐熱性の紙として、半田リフロー工程におけるピーク温度に耐え得る耐熱性（具体的には、２４０℃−３０秒〜２６０℃−１０秒程度の耐熱性）を有するグラシン紙を用いる構成としてある。
またこの耐熱性離型紙１１ｂには、粘着剤層１２から一定の剥離強度で剥離できるような離型処理を施してある。より具体的には、図３に示すように、耐熱性離型紙１１ｂに剥離剤１１ｂ−１をコーティングすると共に、耐熱性離型紙１１ｂの一面側（下面側）の全面に剥離剤１１ｂ−１を介して粘着剤層１２を積層（塗布）させてある。
なお剥離剤１１ｂ−１としては、シリコーン系剥離剤や非シリコーン系剥離剤等を用いることができる。
また本実施形態においては、粘着剤層１２に対する耐熱性離型紙１１ｂの剥離強度を、耐熱性離型紙１１ｂに対する耐湿性離型フィルム１１ａの剥離強度よりも大きいものとしてある。
なお粘着剤層１２に対する耐熱性離型紙１１ｂの剥離強度は、耐熱性離型紙１１ｂに対する耐湿性離型フィルム１１ａの剥離強度よりも大きく、０．１Ｎ／１０ｍｍ〜０．５Ｎ／１０ｍｍ程度とすることが望ましい。
また耐熱性離型紙１１ｂの厚みは５０μｍ〜１１５μｍ程度とすることが望ましい。
また本実施形態においては、耐熱性離型紙１１ｂは、図示しない筐体等の他の部材にプリント配線板２０を接着固定させる段階において粘着剤層１２から剥離される。
【００２５】
前記粘着剤層１２は、図示しない筐体等の他の部材にプリント配線板２０を接着固定させるための粘着剤で形成される層である。
この粘着剤層１２は、既述したように、耐熱性離型紙１１ｂの一面側（下面側）の全面に剥離剤１１ｂ−１を介して積層（塗布）されている。
なお本実施形態においては、粘着剤としてアクリル系粘着剤を用いている。
また粘着剤層１２の厚みは、３０μｍ〜２５０μｍ程度とすることが望ましい。
【００２６】
前記プリント配線板２０は、図２に示すように、基材層２１の片側に導電層２２を備える、いわゆる片面プリント配線板であり、既述したように、粘着シート１０を介して図示しない筐体等の他の部材に接着固定されることで使用されるものである。
また本実施形態においては、図２（ｂ）に示すように、プリント配線板２０の所定領域に半田４０を介して電子部品３０を実装してある。
なお、ここで「所定領域」とは、プリント配線板２０において、電子部品３０を実装する領域のことを意味するものとする。
【００２７】
このプリント配線板２０は、図２に示すように、基材層２１と、導電層２２と、絶縁層２３とから構成される。
【００２８】
前記基材層２１は、プリント配線板２０の基台となるものであり、絶縁性の樹脂フィルムで形成されている。
樹脂フィルムとしては、柔軟性に優れた樹脂材料からなるものが使用される。例えばポリイミドフィルムやポリエステルフィルム等、プリント配線板の基材層を形成する樹脂フィルムとして通常用いられるものであれば、如何なるものを用いてもよい。
また特に、柔軟性に加えて高い耐熱性をも有しているものが望ましい。例えばポリアミド系の樹脂フィルムや、ポリイミド、ポリアミドイミドなどのポリイミド系の樹脂フィルムや、ポリエチレンナフタレートを好適に用いることができる。
また耐熱性樹脂としては、ポリイミド樹脂、エポキシ樹脂等、プリント配線板の基材層を形成する耐熱性樹脂として通常用いられるものであれば、如何なるものを用いてもよい。
なお基材層２１の厚みは、１２μｍ〜１００μｍ程度とすることが望ましい。
【００２９】
前記導電層２２は、基材層２１の表側に積層され、プリント配線板２０の配線回路２２ａや端子２２ｂ等を構成する層である。
本実施形態においては、図１、図２（ｂ）に示すように、導電層２２の一部を、後述する絶縁層２３の一部を開口してなる開口部２３ａから露出させることで、端子２２ｂ、電極２２ｃとしてある。
【００３０】
この導電層２２は、基材層２１に導電性金属箔をめっきを用いて積層したり（いわゆるアディティブ法）、基材層２１に予め積層される導電性金属箔をエッチングしたり（いわゆるサブトラクティブ法）等の公知の形成方法を用いて形成することができる。
また導電性金属箔としては、銅（Ｃｕ）を用いることができる。勿論、銅（Ｃｕ）に限るものではなく、プリント配線板の導電層を形成する導電性金属箔として通常用いられるものであれば、如何なるものであってもよい。
なお導電層２２の厚みは、１２μｍ〜３５μｍ程度とすることが望ましい。
【００３１】
前記絶縁層２３は、プリント配線板２０の絶縁を確保するための層である。
この絶縁層２３は、カバーレイやソルダーレジスト等からなり、フィルム状のカバーレイを基材層２１及び導電層２２に貼り付ける等、公知の形成方法を用いて形成することができる。
なお絶縁層２３の厚みは、１０μｍ〜５０μｍ程度とすることが望ましい。
また絶縁層２３の性状はフィルム状等、如何なる性状であってもよい。
また絶縁層２３には、図１、図２（ｂ）に示すように、導電層２２を露出させて端子２２ｂ、電極２２ｃを形成するための開口部２３ａを設けてある。
【００３２】
前記電子部品３０は、例えばチップコンデンサ等からなり、図２（ｂ）に示すように、半田４０を介して電極２２ｃと電気接続されることで、プリント配線板２０に実装されている。
なお電子部品３０の数、実装位置等は本実形態のものに限るものではなく、適宜変更可能である。
【００３３】
前記半田４０は、電極２２ｃと、電子部品３０の電極（図示しない）とを電気接続させるためのものである。
【００３４】
以上の構成からなる本発明の実施形態に係る粘着シート１０及び粘着シート１０を備えるプリント配線板２０は、以下の効果を奏する。
耐熱性離型紙１１ｂの他面側（上面側）の全面に耐湿性離型フィルム１１ａを積層させる構成とすることで、良好な耐湿性を有する離型材層１１とすることができる。
また耐湿性離型フィルム１１ａを耐熱性離型紙１１ｂの他面側（上面側）に積層すると共に、耐熱性離型紙１１ｂに対する耐湿性離型フィルム１１ａの剥離強度を、粘着剤層１２に対する耐熱性離型紙１１ｂの剥離強度よりも小さいものとすることで、耐湿性離型フィルム１１ａだけを容易に剥離させることできる。また耐湿性離型フィルム１１ａだけを剥離させることで、良好な耐熱性を有する離型材層１１とすることができる。
より具体的には、プリント配線板２０に半田を介して電子部品３０を実装する半田リフロー工程を行うまでの段階においては、耐湿性離型フィルム１１ａを備えることで、吸湿によって耐熱性離型紙１１ｂに寸法変化が生じることを効果的に防止することができる。よって半田リフロー工程の直前に耐湿性離型フィルム１１ａを剥離させることで、半田リフロー工程に伴う加熱前後で耐熱性離型紙１１ｂが大きく収縮することを防止することができ、粘着シート１０に寸法変化が生じることを防止することができる。また同時に、熱によって粘着剤層１２に粘着性能の低下が生じることを効果的に防止することができる。
従って水分や熱によって粘着シート１０に寸法変化が生じることを防止できることで、プリント配線板２０から粘着シート１０が剥がれることを防止することができる。また図示しない筐体等の他の部材に粘着シート１０を介してプリント配線板２０を精度良く、良好に接着固定させることができる。
また耐湿性離型フィルム１１ａをポリエチレンで形成することで、一段と良好な耐湿性を有する共に、低コストの耐湿性離型フィルム１１ａとすることができる。
また耐熱性離型紙１１ｂをグラシン紙で形成することで、半田リフロー工程（一般的には、加熱工程におけるピーク温度が２６０℃、加熱時間が１０秒程度）等の加熱工程にも耐えうる良好な耐熱性を備えた耐熱性離型紙１１ｂとすることができる。
また粘着剤層１２をアクリル系粘着剤で形成することで、常温でも優れた接着性を有すると共に、軽い圧力で被着材に接着させることができる粘着剤層１２とすることができる。
【００３５】
これに対して従来の粘着シート１００は、図５に示すように、単層の紙からなる耐熱性離型紙１１０ｂだけで離型材層１１０を形成するものが一般的であった。
よってこのような粘着シート１００を備えると共に、半田４００を介して電子部品３００を実装する従来のプリント配線板２００においては、半田リフロー工程を行うまでの段階において、吸湿によって耐熱性離型紙１１０ｂに寸法変化が生じる。よって半田リフロー前後で粘着シート１００が大きく収縮し、プリント配線板２００から粘着シート１００が剥がれるという問題があった。またプリント配線板２００を図示しない筐体等の他の部材に粘着シート１００を介して精度良く、良好に接着固定させることができないという問題があった。
なお従来の粘着シート１００を備えるプリント配線板２００において、既述した本発明の実施形態に係る粘着シート１０、プリント配線板２０等と同一の部材、同一の機能を果たすものには、上２桁の番号及びアルファベットに同一なものを付し、詳細な説明は省略するものとする。
【００３６】
よって本発明の実施形態に係る粘着シート１０の構成とすることで、粘着シート１０を備えると共に、半田４０を介して電子部品３０を実装するプリント配線板２０において、半田リフローに伴う加熱前後で粘着シート１０に寸法変化が生じることを効果的に防止することできる。
【００３７】
次に図３、図４を参照して、本発明の実施形態に係る粘着シート１０及び粘着シート１０を備えるプリント配線板２０の製造方法を説明する。
まず図３、図４（ａ）を参照して、粘着シート１０を形成する。
より具体的には、耐熱性の紙からなる耐熱性離型紙１１ｂの一面側（下面側）に粘着剤層１２を積層する工程により、耐熱性離型紙１１ｂの一面側（下面側）の全面に粘着剤層１２を積層する。また耐熱性離型紙１１ｂの剥離強度よりも小さい剥離強度で、耐熱性離型紙１１ｂの他面側（上面）に耐湿性のフィルムからなる耐湿性離型フィルム１１ａを積層する工程により、耐熱性離型紙１１ｂの他面側（上面）の全面に耐湿性のフィルムからなる耐湿性離型フィルム１１ａを積層する。
更に具体的には、図示しない供給側ロールから、耐熱性離型紙１１ｂ（剥離剤１１ｂ−１をコーティング済み）を供給し、その途中で耐熱性離型紙１１ｂの一面側（下面側）にアクリル系粘着剤からなる粘着剤を塗布することで、耐熱性離型紙１１ｂの一面側（下面側）に粘着剤層１２を形成した後、図示しない巻取り側ロールで巻き取る。
そしてこの工程の前工程若しくは後工程において、耐熱性離型紙１１ｂの他面側（上面側）にポリエチレンからなる耐湿性離型フィルム１１ａ（剥離剤１１ａ−１をコーティング済み）をラミネート加工を用いて積層する。この際、耐湿性離型フィルム１１ａの剥離強度が、粘着剤層１２に対する耐熱性離型紙１１ｂの剥離強度よりも小さくなるようにする。
以上の工程により、粘着シート１０が形成される。
次に図４（ｂ）を参照して、プリント配線板２０を形成する。
より具体的には、アディティブ法やサブトラクティブ法等の公知の形成方法を用いて、基材層２１と、基材層２１に積層される導電層２２と、導電層２２に積層される絶縁層２３とからなるプリント配線板２０を形成する。
次に図４（ｃ）を参照して、プリント配線板２０に粘着シート１０を貼り付ける工程により、プリント配線板２０の所定領域に粘着剤層１２を介して粘着シート１０を貼り付ける。
次に図４においては図示していないが、プリント配線板２０の所定領域に公知の方法（リフロー方式）を用いて半田４０を介して電子部品３０を実装する。
以上の工程を経て、図４（ｄ）に示す本発明の実施形態に係る粘着シート１０を備えるプリント配線板２０が形成される。
なお図４（ｄ）においては、説明の便宜上、電子部品３０の実装時には剥離されている耐湿性離型フィルム１１ａを図示するものとする。
【００３８】
このような構成からなる本発明の実施形態に係る粘着シート１０及び粘着シート１０を備えるプリント配線板２０の製造方法は、以下の効果を奏する。
耐熱性離型紙１１ｂの他面側（上面側）の全面に耐湿性離型フィルム１１ａを積層させる構成とすることで、良好な耐湿性を有する離型材層１１とすることができる。従って水分によって耐熱性離型紙１１ｂに寸法変化が生じることを効果的に防止することができる粘着シート１０を製造することができる。
また耐湿性離型フィルム１１ａを耐熱性離型紙１１ｂの上面側に積層すると共に、耐熱性離型紙１１ｂに対する耐湿性離型フィルム１１ａの剥離強度を、粘着剤層１２に対する耐熱性離型紙１１ｂの剥離強度よりも小さいものとすることで、耐湿性離型フィルム１１ａだけを容易に剥離させることできる。また耐湿性離型フィルム１１ａだけを剥離させることで、良好な耐熱性を有する離型材層１１を備える粘着シート１０を製造することができる。従って熱によって寸法変化が生じることを効果的に防止することができる粘着シート１０を製造することができる。
より具体的には、プリント配線板２０に半田４０を介して電子部品３０を実装する半田リフロー工程を行うまでの段階においては、吸湿によって耐熱性離型紙１１ｂに寸法変化が生じることを効果的に防止することができる。よって半田リフロー工程の直前に耐湿性離型フィルム１１ａを剥離させることで、半田リフロー工程に伴う加熱前後で耐熱性離型紙１１ｂが大きく収縮することを防止することができ、粘着シート１０に寸法変化が生じることを防止することができる。また同時に、熱によって粘着剤層１２に粘着性能の低下が生じることを効果的に防止することができる。
従って、このような粘着シート１０をプリント配線板２０の所定領域に貼り付ける構成とすることで、プリント配線板２０から粘着シート１０が剥がれることを効果的に防止することができ、図示しない筐体等の他の部材に精度良く、良好に接着固定させることができるプリント配線板２０を製造することができる。
また耐湿性離型フィルム１１ａをポリエチレンで形成することで、一段と良好な耐湿性を有すると共に、低コストの粘着シート１０を製造することができる。
また耐熱性離型紙１１ｂをグラシン紙で形成することで、半田リフロー工程（一般的には、加熱工程におけるピーク温度が２６０℃、加熱時間が１０秒程度）等の加熱工程にも耐えうる良好な耐熱性を備えた耐熱性離型紙１１ｂとすることができる。
また粘着剤層１２をアクリル系粘着剤で形成することで、常温でも優れた接着性を有すると共に、軽い圧力で被着材に接着させることができる粘着シート１０を製造することができる。
【００３９】
なお実施形態においては、粘着シート１０の構成を、耐熱性離型紙１１ｂの上面に耐湿性離型フィルム１１ａを積層する構成としたが、必ずしもこのような構成に限るものではなく、耐熱性離型紙１１ｂよりも上方に耐湿性離型フィルム１１ａを積層する構成であれば、耐熱性離型紙１１ｂと耐湿性離型フィルム１１ａとの間に他の層を介在させるような構成としてもよい。但し、耐熱性離型紙１１ｂに対する耐湿性離型フィルム１１ａの剥離強度を、粘着剤層１２に対する耐熱性離型紙１１ｂの剥離強度よりも小さいものとすることが必要である。
また本実施形態においては、耐湿性離型フィルム１１ａをポリエチレンで形成する構成としたが、必ずしもこのような構成に限るものではなく、耐湿性（具体的には、温度２０℃〜９０℃程度、湿度４０％ＲＨ〜９０％ＲＨ程度、時間２４ｈ〜９０ｈ程度の耐湿性）を備えるフィルムであれば、その材質は如何なるものを用いてもよい。例えばポリエステル等を用いることができる。
また本実施形態においては、耐熱性離型紙１１ｂをグラシン紙で形成する構成としたが、必ずしもこのような構成に限るものではなく、耐熱性（具体的には、２４０℃−３０秒〜２６０℃−１０秒程度の耐熱性）を備える紙であれば、如何なる紙を用いてもよい。例えば上質紙等を用いることができる。
また本実施形態においては、粘着剤層１２をアクリル系粘着剤で形成する構成としたが、必ずしもこのような構成に限るものではなく、常温で接着力を有する粘着剤か、或いは融点が半田リフロー工程におけるピーク温度（具体的には２４０℃〜２６０℃程度）以下の熱可塑性樹脂からなる粘着剤であれば、如何なる粘着剤を用いてもよい。例えばシリコーン系粘着剤等を用いることができる。但し、粘着剤層１２を形成する粘着剤と、耐熱性離型紙１１ｂを形成する紙との熱膨張率が一致するものを用いることが必要である。
また本実施形態においては、プリント配線板２０を、基材層２１の片側に導電層２２を備える、いわゆる片面プリント配線板とする構成としたが、必ずしもこのような構成に限るものではなく、基材層２１の両側に導電層２２を備える、いわゆる両面プリント配線板とする構成としてもよい。
またプリント配線板の種類も、フレキシブルプリント配線板、リジッドプリント配線板、リジッドフレキシブルプリント配線板等、各種プリント配線板を用いることができる。
また粘着シート１０の外形、プリント配線板２０への貼り付け位置等も本実施形態のものに限るものではなく、適宜変更可能である。
【産業上の利用可能性】
【００４０】
本発明によれば、プリント配線板を筐体等の他の部材に接着固定させるための粘着シートにおいて、良好な耐湿性及び耐熱性を有する粘着シートを実現することができることから、プリント配線板を筐体等の他の部材に接着固定させるための粘着シートの分野における産業上の利用性が高い。
【符号の説明】
【００４１】
１０          粘着シート
１１          離型材層
１１ａ        耐湿性離型フィルム
１１ａ−１    剥離剤
１１ｂ        耐熱性離型紙
１１ｂ−１    剥離剤
１２          粘着剤層
２０          プリント配線板
２１          基材層
２２          導電層
２２ａ        配線回路
２２ｂ        端子
２２ｃ        電極
２３          絶縁層
２３ａ        開口部
３０          電子部品
４０          半田
１００        粘着シート
１１０        離型材層
１１０ｂ      耐熱性離型紙
１２０        粘着剤層
２００        プリント配線板
２１０        基材層
２２０        導電層
２２０ａ      配線回路
２２０ｂ      端子
２２０ｃ      電極
２３０        絶縁層
２３０ａ      開口部
３００        電子部品
４００        半田
【図１】
2012246376.tif 000003
【図２】
2012246376.tif 000004
【図３】
2012246376.tif 000005
【図４】
2012246376.tif 000006
【図５】
2012246376.tif 000007